(57)【要約】      （修正有）【課題】作業中に手袋の袖部が垂れ下がったり、捲れたりすることを防ぐことができ、かつ違和感がなく作業できる防水手袋を提供する。【解決手段】防水手袋は、手袋本体１０と、手袋本体に連続して手首から前腕の中間所要部までを覆うための略筒状の袖部２０とを有しており、袖部の外側表面に、長手方向に伸長する少なくとも１つの可撓性の弾性突条３０が設けられている。【選択図】図１
0003172465.tif 000002
【実用新案登録請求の範囲】
【請求項１】
手袋本体と、該手袋本体に連続して手首から前腕の中間所要部までを覆うための略筒状の袖部とを有しており、前記袖部の外側表面に、長手方向に伸長する少なくとも１つの可撓性の弾性突条が設けられていることを特徴とする防水手袋。
【請求項２】
前記少なくとも１つの弾性突条は、中央部が周辺部より厚く形成されていることを特徴とする請求項１に記載の防水手袋。
【請求項３】
前記少なくとも１つの弾性突条は、前記袖部と同じ材料で該袖部と一体的に形成されていることを特徴とする請求項１又は２に記載の防水手袋。
【請求項４】
前記少なくとも１つの弾性突条は、前記袖部と別体に形成され、前記少なくとも１つの弾性突条に予め形成された接着層を介して前記袖部に取り付けられていることを特徴とする請求項１又は２に記載の防水手袋。
【請求項５】
前記少なくとも１つの弾性突条は、前記袖部の外周の手の甲側と手のひら側に、前記突条が１つずつ設けられた弾性突条であることを特徴とする請求項１から４のいずれか１項に記載の防水手袋。
【考案の詳細な説明】
【技術分野】
【０００１】
本考案は、袖部を有するゴム又は樹脂製の家庭用又は業務用の防水手袋に関するものである。
【背景技術】
【０００２】
従来、ゴム又は樹脂製の家庭用又は業務用の防水手袋は、水等の液体や土等の異物が手袋内部に侵入しないように比較的に長い袖部を設けるものが多数存在している。このような袖部を有する手袋は、作業し易いために、薄手に形成されている。そのため、作業中に、特に、腕を下方におろして動かしたとき、手袋の袖部が垂れ下がったり、捲れたりするため、水等の液体や土等の異物が、腕にかかり、さらに手袋の中に侵入してしまう欠点があった。
【０００３】
そのため、手袋の袖部（腕部）の範囲の素材に部分的に弾力性の高い帯状の厚い部分を形成し、この帯状の弾力で腕部全体の垂れ下がりを防ぐ手袋が提案されている（例えば、特許文献１）。
【０００４】
特許文献１に記載の手袋は、手袋の袖部（腕部）の内側に４つの帯状部分が形成されている。これにより、腕部全体の垂れ下がりを防ぐことができる。
【先行技術文献】
【特許文献】
【０００５】
【特許文献１】特開２００１−１５９０１１号公報
【考案の概要】
【考案が解決しようとする課題】
【０００６】
しかしながら、特許文献１の手袋によると、手袋の袖部（腕部）の内側において、内側へ向って隆起する帯状部分が形成されているため、手袋を装着するときに違和感が生じるという問題点があった。
【０００７】
また、手に他の手袋を付けている状態でその上にこの手袋を重ねて着用しようとすると、肉厚部が邪魔になって着用が非常に難しいという問題点があった。
【０００８】
従って、本考案は従来技術の上述した問題点を解消するものであり、本考案の目的は、作業中に手袋の袖部が垂れ下がったり、捲れたりすることを防ぐことができ、かつ違和感がなく作業できる防水手袋を提供することにある。
【課題を解決するための手段】
【０００９】
本考案によれば、手袋本体と、手袋本体に連続して手首から前腕の中間所要部までを覆うための略筒状の袖部を有しており、袖部の外側表面に、長手方向に伸長する少なくとも１つの可撓性の弾性突条が設けられている。
【００１０】
手袋の袖部の外側表面に長手方向に伸長する少なくとも１つの可撓性の弾性突条が設けられていることで、袖部が補強され、作業中に手袋の袖部が垂れ下がったり、捲れたりすることを防ぐことができ、かつ違和感がなく作業できる。
【００１１】
また、少なくとも１つの弾性突条は、中央部が周辺部より厚く形成されていることが好ましい。これにより、手袋の袖部の垂れ下がり、めくれを防ぐことができると共に、弾性突条が作業中に他の物体に引っ掛かることを防止できる。
【００１２】
また、少なくとも１つの弾性突条は、袖部と同じ材料で袖部と一体的に形成されていることが好ましい。このように、袖部と同じ材料で形成することにより、袖部と弾性突条とを同時に作製でき、製造が容易となる。
【００１３】
また、少なくとも１つの弾性突条は、袖部と別体に形成され、少なくとも１つの弾性突条に予め形成された接着層を介して袖部に取り付けられていることが好ましい。このように、例えば弾性突条を市販の既製の手袋に貼り付けることで製造できるため、製造が容易となり、かつ製造コストを抑えることができる。
【００１４】
さらに、少なくとも１つの弾性突条は、袖部の外周の手の甲側と手のひら側に１つずつ設けられた弾性突条であることが好ましい。このように、手の甲側と手のひら側との両方に弾性突条を設けることにより、袖部の垂れ下がり、めくれをより効果的に防ぐことができる。
【考案の効果】
【００１５】
本考案によれば、袖部の外側表面に長手方向に伸長する可撓性の少なくとも１つの弾性突条が設けられていることで、作業中に手袋の袖部が垂れ下がったり、捲れたりすることを防ぐことができ、かつ違和感がなく作業できる。
【００１６】
また、少なくとも１つの弾性突条は、中央部が周辺部より厚く形成されていることで、この弾性突条が作業中に他の物体に引っ掛かることを防止できる。また、少なくとも１つの弾性突条は、袖部と同じ材料で一体的に形成することで、袖部と弾性突条とを同時に作製でき、製造が容易となる。また、少なくとも１つの弾性突条は、袖部と別体に形成され、突条に予め形成された接着層を介して袖部に取り付けられていることで、例えば弾性突条を市販の既製の手袋に貼り付けることで製造できるため、製造が容易となり、かつ製造コストを抑えることができる。さらに、少なくとも１つの弾性突条を、手の甲側と手のひら側との両方に弾性突条を設けることにより、袖部の垂れ下がり、めくれをより効果的に防ぐことができる。
【００１７】
また、手に他の手袋を付けている状態でこの防水手袋を重ねて着用する場合でも、スムーズに装着することができる。従来の内側に帯状部分が形成される場合の肉厚部が邪魔で挿入しにくいという問題がなくなる。
【図面の簡単な説明】
【００１８】
【図１】本考案の第１の実施形態における防水手袋の構成を概略的に示す側面図である。
【図２】第１の実施形態における防水手袋の構成を概略的に示す平面図である。
【図３】第１の実施形態における防水手袋の構成を示すＡ−Ａ線断面図である。
【図４】本考案の第２の実施形態における防水手袋の構成を概略的に示す平面図である。
【図５】第２の実施形態における防水手袋の構成を示すＢ−Ｂ線断面図である。
【考案を実施するための形態】
【００１９】
以下、本考案に係る防水手袋の実施形態を、図を参照して説明する。
【００２０】
図１は本考案の第１の実施形態における防水手袋１００の構成を示しており、図２はこの防水手袋１００を手のひら側から見た状態を示している。図３はこの防水手袋１００のＡ−Ａ線断面を示している。ここでは、防水手袋１００の左右一対のうち１つ（左手用の防水手袋）を示している。
【００２１】
図１〜３に示すように、本実施形態の防水手袋１００は、手袋本体１０と、この手袋本体１０に連続して手首から前腕の中間所要部までを覆うための略筒状の袖部２０とを有し、袖部２０の外側表面に、長手方向に伸長する可撓性の弾性突条３０が設けられている。
【００２２】
手袋本体１０は、手を覆う部分であり、ゴム又は樹脂等の可撓性を有する弾性材料から形成されている。手袋本体１０は、先端側に指に対応した形状を有する。
【００２３】
袖部２０は、手袋本体１０に連続し、手首から前腕の中間所要部までを覆う部分であり、手袋本体１０と一体的に形成されている。この袖部２０は、略筒状に形成されている。
【００２４】
弾性突条３０は、袖部２０の外側表面の長手方向に外側へ向って隆起するように形成されている。この弾性突条３０は、袖部２０の外周の手の甲側と手のひら側にそれぞれ１つずつ設けられ、袖部２０と同じ材料で一体的に形成されている。また、弾性突条３０は、比較的に薄い袖部２０より０．５ｍｍ〜１．０ｍｍ程度厚く形成されていると共に、中央部が周辺部より厚く形成されている。この弾性突条３０の反発力により袖部２０の垂れ下がり、捲れを防ぐことが可能となる。弾性突条３０の厚さＤが０．５ｍｍより薄い場合、反発力が足りないので、捲れを防ぐことが困難となる。一方、弾性突条３０の厚さＤが１．０ｍｍより厚い場合、作業に邪魔になる可能性があり、また、着用時に違和感が生じる。
【００２５】
このように、袖部２０の外側表面に長手方向に伸長する可撓性の弾性突条３０を設けることで、袖部２０が補強され、作業中に手袋の袖部２０が垂れ下がったり、捲れたりすることを防ぐことができ、かつ違和感がなく作業できる。
【００２６】
弾性突条３０が、中央部が周辺部より厚く形成されていることで、弾性突条３０が作業中に他の物体に引っ掛かることを防止できる。また、弾性突条３０は、袖部２０と同じ材料で所定の部分を厚くするのみで一体的に形成されていることで、袖部２０と弾性突条３０とを同時に作製でき、製造が容易となる。さらに、袖部２０の外周の手の甲側と手のひら側に、弾性突条３０が１つずつ設けられていることで、コストが抑えられる。
【００２７】
また、手に他の手袋を付けている状態でこの防水手袋１００を重ねて着用される場合でも、スムーズに挿入し着用することができる。従来の内側に帯状部分が形成される場合の肉厚部が邪魔で挿入しにくいという問題が解決される。
【００２８】
図４は本考案の第２の実施形態における防水手袋１００Ａの構成を示している。図５はこの防水手袋１００ＡのＢ−Ｂ線断面を示している。ここでは、防水手袋１００Ａの左右一対のうち１つ（左手用の防水手袋）を示している。
【００２９】
図４に示すように、本実施形態の防水手袋１００Ａは、手袋本体１０と、この手袋本体１０に連続して手首から前腕の中間所要部までを覆うための略筒状の袖部２０とを有し、袖部２０の外側表面に、長手方向に伸長する可撓性の弾性突条３０ａが設けられている。防水手袋１００Ａの各部の構成は、弾性突条３０ａの構成を除いて以外に上述した第１の実施形態の場合と同様であり、従って、詳細な説明を省略する。
【００３０】
弾性突条３０ａは、弾力性を有する材料、例えば、ゴム又は樹脂等の材料で、袖部２０と別体に形成されている。この弾性突条３０ａには、予め接着層３１が積層されており、この接着層３１を介して袖部２０に接着されている。弾性突条３０ａの反発力により袖部２０の垂れ下がり、捲れを防ぐことが可能となる。また、この例において、弾性突条３０ａの形状は、菱形である。
【００３１】
本実施形態の防水手袋１００Ａにおいて、弾性突条３０ａは、袖部２０と別体に形成され、この弾性突条３０ａに予め積層されている接着層３１によって、弾性突条３０ａを市販の既製の手袋に貼り付けて作製されている。これにより、袖部２０の垂れ下がり、めくれを防ぐことができる。
【００３２】
なお、上述した実施形態の防水手袋１００及び１００Ａにおける弾性突条３０及び３０ａの形状は、ここに記載されたものに限定されず、他の形状としてもよい。
【００３３】
また、上述した実施形態の防水手袋１００及び１００Ａは、ゴム又は樹脂等の材料から形成されたものとしたが、本考案はこれに限定されるものではない。他の防水材料で形成したものについても、本考案の範囲である。
【００３４】
また、上述した実施形態の防水手袋１００及び１００Ａにおいては、弾性突条３０及び３０ａが２つ形成されているが、本考案はこれに限定されるものではない。必要に応じて、１又は３つ以上としてもよい。
【産業上の利用可能性】
【００３５】
本考案は、袖部を有するゴム又は樹脂製の家庭用及び業務用の防水手袋において、作業中に手袋の袖部が垂れ下がったり、捲れたりすることを防ぐ目的に利用できる。
【符号の説明】
【００３６】
１０  手袋本体
２０  袖部
３０、３０ａ  弾性突条
３１  接着層
１００、１００Ａ  防水手袋
【図１】
0003172465.tif 000003
【図２】
0003172465.tif 000004
【図３】
0003172465.tif 000005
【図４】
0003172465.tif 000006
【図５】
0003172465.tif 000007